(57)【要約】【課題】照射光の照度ムラや色ムラの発生を抑えることができる試験用ＬＥＤ光源とこれを用いて太陽電池の出力特性を高精度に評価することができる太陽電池評価装置を提供すること。【解決手段】複数のＬＥＤ８ａ〜８ｄと、該ＬＥＤ８ａ〜８ｄを冷却する水冷ユニットを備えて成る水冷式ＬＥＤユニット１を複数配置して構成される試験用ＬＥＤ光源２３において、複数の前記水冷式ＬＥＤユニット１の隣接するもの同士の位置を光照射方向に互いにオフセットさせるとともに、各水冷式ＬＥＤユニット１のレンズカバー１１外面にフレネルレンズ２５を配置する。又、この試験用ＬＥＤ光源２３を、試験室内に収容された太陽電池２２に疑似太陽光を照射して太陽電池２２の出力特性を評価する太陽電池評価装置の光源として使用する。【選択図】図３
2011009254.tif 000002
【特許請求の範囲】
【請求項１】
複数のＬＥＤと、該ＬＥＤを冷却する水冷ユニットを備えて成る水冷式ＬＥＤユニットを複数配置して構成される試験用ＬＥＤ光源において、
複数の前記水冷式ＬＥＤユニットの隣接するもの同士の位置を光照射方向に互いにオフセットさせるとともに、各水冷式ＬＥＤユニットのレンズカバー外面にフレネルレンズを配置したことを特徴とする試験用ＬＥＤ光源。
【請求項２】
複数の前記水冷式ＬＥＤユニットを縦及び横方向にマトリックス状に配置し、各水冷式ＬＥＤユニットの光照射方向位置を縦及び横方向に交互にオフセットさせたことを特徴とする請求項１記載の試験用ＬＥＤ光源。
【請求項３】
試験室内に収容された太陽電池に疑似太陽光を照射して前記太陽電池の出力特性を評価する太陽電池評価装置であって、前記太陽電池に疑似太陽光を照射する光源として請求項１又は２記載の試験用ＬＥＤ光源を備えることを特徴とする太陽電池評価装置。
【請求項４】
前記試験用ＬＥＤ光源からの疑似太陽光を透過させ且つ湿気の通過を遮断する透明部材を前記試験室内の前記太陽電池と前記試験用ＬＥＤ光源との間に配置したことを特徴する請求項３記載の太陽電池評価装置。
【発明の詳細な説明】
【技術分野】
【０００１】
本発明は、発光波長の異なる複数のＬＥＤから例えば擬似太陽光を出射する試験用ＬＥＤ光源とこれを備えた太陽電池評価装置に関するものである。
【背景技術】
【０００２】
太陽エネルギーの有効利用する一手段として太陽電池が知られているが、実用上は、この太陽電池を複数接続して成る太陽電池モジュールによって構成された太陽電池パネルをビルや一般家屋の屋根等に敷設することによって太陽エネルギーを電気エネルギーに変換することが行われている。
【０００３】
ところで、太陽電池の出力特性を評価することは、太陽電池の製造後の検査や太陽電池の研究開発において重要であるが、その評価を太陽電池に太陽光を照射することによって行うことは、天候等によって太陽光の強度が変動するために常に正しい結果を期待することは困難である。
【０００４】
そこで、特許文献１には、光源としてＬＥＤを用いた太陽電池の評価方法が提案されている。この方法は、多波長のＬＥＤ発光部からの光を太陽電池に照射し、多波長発光部からの各波長毎の照射光強度（Ｗ）と各波長毎の太陽電池の出力短絡電流（Ａ）とから太陽電池の絶対分光感度（Ａ／Ｗ）を測定するする方法である。
【０００５】
又、特許文献２には、複数の要素セルを積層して成る太陽電池等の光電変換素子の基準状態での出力を評価するための出力測定方法が提案されている。
【先行技術文献】
【特許文献】
【０００６】
【特許文献１】特開２００４−２８１７０６号公報
【特許文献２】特開２００６−１３５１９６号公報
【発明の概要】
【発明が解決しようとする課題】
【０００７】
ところが、特許文献１，２には、ＬＥＤの点灯及び試験環境によってＬＥＤ温度が室温以上になった場合の対策、例えば冷却手段を設けること等に関しては何ら開示されていない。一般にＬＥＤの発光効率は温度上昇に伴って低下するため、ＬＥＤ温度が上昇すると該ＬＥＤからの出力が変動し、太陽電池の出力特性を高精度に評価することができないという問題が発生する。
又、特に発光色の異なるＬＥＤ素子を用いる場合には、異色のＬＥＤでは温度−発光効率の特性が異なるため、ＬＥＤ温度が上昇すると照射光の色ムラが発生し、太陽電池の出力特性を高精度に評価することができなくなってしまう。
【０００８】
そこで、発光波長の異なる複数のＬＥＤを冷却する水冷ユニットを備えて成る水冷式ＬＥＤユニットを複数配置して試験用ＬＥＤ光源を構成することが考えられる。水冷式ＬＥＤユニットを複数配置した場合、太陽電池に実際に照射される太陽光が平行光であるのに対して、試験用ＬＥＤ光源から出射される試験用の擬似太陽光は拡散光であるために太陽電池の実際の出力特性を正しく評価することができないという問題がある。これは太陽電池に入射する光の量が太陽電池に入射する光の角度で大きく変化することによる。又、複数の水冷式ＬＥＤユニットをその光照射方向の位置（ＬＥＤの位置）を揃えて配置する構成を採用すると、各水冷式ＬＥＤユニットから所定の角度で拡がりながら出射される光と光の間に隙間（光が届かない箇所）が発生し、太陽電池に照射される擬似太陽光に照度ムラや色ムラが発生し、この擬似太陽光を用いて太陽電池の出力特性を高精度に評価することができないという問題が発生する。
【０００９】
本発明は上記問題に鑑みてなされたもので、その目的とする処は、照射光を平行光線化するとともに、その照度ムラや色ムラの発生を抑えることができる試験用ＬＥＤ光源とこれを用いて太陽電池の出力特性を高精度に評価することができる太陽電池評価装置を提供することにある。
【課題を解決するための手段】
【００１０】
上記目的を達成するため、請求項１記載の発明は、複数のＬＥＤと、該ＬＥＤを冷却する水冷ユニットを備えて成る水冷式ＬＥＤユニットを複数配置して構成される試験用ＬＥＤ光源において、複数の前記水冷式ＬＥＤユニットの隣接するもの同士の位置を光照射方向に互いにオフセットさせるとともに、各水冷式ＬＥＤユニットのレンズカバー外面にフレネルレンズを配置したことを特徴とする。
【００１１】
請求項２記載の発明は、請求項１記載の発明において、複数の前記水冷式ＬＥＤユニットを縦及び横方向にマトリックス状に配置し、各水冷式ＬＥＤユニットの光照射方向位置を縦及び横方向に交互にオフセットさせたことを特徴とする。
【００１２】
請求項３記載の発明は、試験室内に収容された太陽電池に疑似太陽光を照射して前記太陽電池の出力特性を評価する太陽電池評価装置が、前記太陽電池に疑似太陽光を照射する光源として請求項１又は２記載の試験用ＬＥＤ光源を備えることを特徴とする。
【００１３】
請求項４記載の発明は、請求項３記載の発明において、前記試験用ＬＥＤ光源からの疑似太陽光を透過させ且つ湿気の通過を遮断する透明部材を前記試験室内の前記太陽電池と前記試験用ＬＥＤ光源との間に配置したことを特徴する。
【発明の効果】
【００１４】
請求項１及び２記載の発明によれば、複数の水冷式ＬＥＤユニットの隣接するもの同士の位置を光照射方向に互いにオフセットさせたため、各水冷式ＬＥＤユニットから所定の角度で拡がりながら出射される光同士の間に隙間が発生することがなく、全面均一な照射光が得られてその照度ムラや色ムラの発生が抑えられる。又、各水冷式ＬＥＤユニットから出射される光はフレネルレンズによって平行光線化されるため、例えば太陽電池の評価試験に太陽光線と同様の平行な擬似太陽光を使用することができ、太陽電池の出力特性の評価を高精度に行うことができる。
【００１５】
更に、試験用ＬＥＤ光源を構成する各水冷式ＬＥＤユニットに設けられた水冷ユニットによって発熱源である複数のＬＥＤが強制冷却されるため、該ＬＥＤの温度上昇が抑えられ、ＬＥＤ温度が一定に保たれて該ＬＥＤの出力変動及び試験用ＬＥＤ光源から出射される光の色ムラの発生が抑えられる。
【００１６】
請求項３記載の発明によれば、水冷式ＬＥＤユニットを複数配置して構成された試験用ＬＥＤ光源によって太陽電池に太陽光と同様の平行な疑似太陽光を照射して太陽電池の出力特性を評価するため、擬似太陽光の照度ムラや色ムラの発生が抑えられ、太陽電池の出力特性の評価を高精度に行うことができる。
【００１７】
請求項４記載の発明によれば、試験室内の湿気の試験用ＬＥＤ光源への侵入が透明部材によって遮断されるため、試験用ＬＥＤ光源が湿気によって悪影響を受けることがなく、該試験用ＬＥＤ光源の安定した動作が可能となる。この場合、試験用ＬＥＤ光源からの擬似太陽光は透明部材を透過して太陽電池に安定的に照射される。又、試験用ＬＥＤ光源は平行直進光となっているため、前記透明部材の透過光強度を、平行光でない光を照射した場合に比べて大きくすることができる。
【図面の簡単な説明】
【００１８】
【図１】本発明に係る試験用ＬＥＤ光源とこれを備えた太陽電池評価装置の構成を示す斜視図である。
【図２】本発明に係る試験用ＬＥＤ光源の部分正面図である。
【図３】図２のＡ−Ａ線断面図である。
【図４】図２のＢ−Ｂ線断面図である。
【図５】本発明に係る試験用ＬＥＤ光源を構成する水冷式ＬＥＤユニットの斜視図である。
【図６】本発明に係る試験用ＬＥＤ光源を構成する水冷式ＬＥＤユニットの正面図（図５の矢視Ｃ方向の図）である。
【図７】本発明に係る試験用ＬＥＤ光源を構成する水冷式ＬＥＤユニットの側面図（図５の矢視Ｄ方向の図）である。
【図８】図７のＥ−Ｅ線断面図である。
【図９】図７のＦ−Ｆ線断面図である。
【図１０】フレネルレンズの正面図である。
【図１１】各種ＬＥＤの基板上へ配置を示す平面図である。
【図１２】図１０のＧ−Ｇ線断面図である。
【図１３】ＬＥＤの温度と駆動電流との関係を示す図である。
【発明を実施するための形態】
【００１９】
以下に本発明の実施の形態を添付図面に基づいて説明する。
【００２０】
図１は本発明に係る試験用ＬＥＤ光源とこれを備えた太陽電池評価装置の構成を示す斜視図、図２は試験用ＬＥＤ光源の部分正面図、図３は図２のＡ−Ａ線断面図、図４は図２のＢ−Ｂ線断面図である。
【００２１】
本発明に係る太陽電池評価装置２０は、図１に示すように、矩形ボックス状の試験室２１内に収容されたパネル状の太陽電池２２に疑似太陽光を照射して太陽電池２２の出力特性を評価する装置であって、太陽電池２２に疑似太陽光を照射する光源として本発明に係る試験用ＬＥＤ光源２３が使用される。
【００２２】
上記試験用ＬＥＤ光源２３は、縦及び横方向に複数（本実施の形態では横６個×縦５個＝計３０個）の水冷式ＬＥＤユニット１をマトリックス状に配置して構成されている。尚、図３に示すように、試験室２１内に収容された太陽電池２２と試験用ＬＥＤ光源２３との間には、試験用ＬＥＤ光源２３からの疑似太陽光を透過させ且つ湿気の通過を遮断する石英ガラス等の透明部材２４が配置されている。
【００２３】
ここで、図２〜図４に試験用ＬＥＤ光源２３を構成する一部（図示例では９個）の水冷式ＬＥＤユニット１の配置構成を示すが、本実施の形態では、複数の水冷式ＬＥＤユニット１の隣接するもの同士の位置を光照射方向に図示のｄだけ互いにオフセットさせて段違いに配置している。つまり、各水冷式ＬＥＤユニット１の光照射方向位置を縦及び横方向に図示のｄだけ交互にオフセットさせている。
【００２４】
次に、試験用ＬＥＤ光源２３を構成する各水冷式ＬＥＤユニット１の構成を図５〜図１２に基づいて説明する。尚、全ての水冷式ＬＥＤユニット１の構成は同じであるため、以下、１つの水冷式ＬＥＤユニット１についてのみ説明する。
【００２５】
図５は水冷式ＬＥＤユニットの斜視図、図６は同水冷式ＬＥＤユニットの正面図（図５の矢視Ｃ方向の図）、図７は同水冷式ＬＥＤユニットの側面図（図５の矢視Ｂ方向の図）、図８は図７のＥ−Ｅ線断面図、図９は図７のＦ−Ｆ線断面図、図１０はフレネルレンズの正面図、図１１は各種ＬＥＤの基板上へ配置を示す平面図、図１２は図１０のＧ−Ｇ線断面図である。
【００２６】
水冷式ＬＥＤユニット１は、図８及び図９に示すように、矩形ボックス状のハウジング２の内部に光源ユニット３と制御回路４及び水冷ユニット５を組み込んで構成されている。尚、水冷式ＬＥＤユニット１の光照射方向は図５の下方であって、該水冷式ＬＥＤユニット１は図１に示すように光照射方向が水平方向となるよう設置されるが、以下の説明における水冷式ＬＥＤユニット１の上下は図６に示す状態における上下を言うものとする。
【００２７】
上記ハウジング２は、ＰＣ等の樹脂或いはアルミニウム等の金属で構成されており、図５に示すように、その周面には縦方向に長い複数のスリットから成る吸気口６が形成され、上面には扇形の複数のスリットから成る排気口７が形成されている。そして、このハウジング２の下面は開口しており、この開口部には前記光源ユニット３が嵌め込まれて固定されている。
【００２８】
上記光源ユニット３は、図８及び図９に示すように、光源として発光波長の異なる（発光波長０．３μｍ〜１．５μｍの間）の４種のＬＥＤ８ａ，８ｂ，８ｃ，８ｄ（図１１参照）を実装して成る基板９と、該基板９を取り付ける矩形プレート状のベース１０及びハウジング２の下面開口部に嵌め込まれる矩形プレート状の透明な樹脂製のレンズカバー１１と、該レンズカバー１１の外面に接合されたフレネルレンズ２５を含んで構成されている。
【００２９】
ここで、発光波長の異なるＬＥＤ８ａ〜８ｄのうち、ＬＥＤ８ａはＧａＡｌＡｓ系の赤外ＬＥＤ（波長８５０ｎｍ）、ＬＥＤ８ｂはＧａＮ系の紫外（波長３６５ｎｍ）ＬＥＤ、ＬＥＤ８ｃはＧａＡｌＡｓ系の赤（波長６３０ｎｍ）ＬＥＤ、ＬＥＤ８ｄはＧａＮ系の青（波長４５５ｎｍ）ＬＥＤであって、これらのＬＥＤ８ａ〜８ｄは図１１に示すように基板９上に縦４列×横４列にマトリックス状に計１６個配置されている。又、これらのＬＥＤ８ａ〜８ｄの温度（℃）と駆動電流（Ａ）との関係を図１３に示すが、同図から明らかなように温度が５０℃を超えると各ＬＥＤ８ａ〜８ｄへの駆動電流が下がり、各ＬＥＤ８ａ〜８ｄの使用最高温度は８０℃である。ここで、ＬＥＤ８ａ〜８ｄの温度とは、チップ接合部の温度であるジャンクション温度を指す。
【００３０】
又、前記フレネルレンズ２５には、図１０に示すように、基板９上に実装された計１６個のＬＥＤ８ａ〜８ｄ（図１１参照）に対応して同数の同心縁状のレンズカットが施されており、このフレネルレンズ２５は、後述のように各ＬＥＤ８ａ〜８ｄから出射される光を平行光線化する機能を果たす。
【００３１】
前記制御回路４は、図８に示すように、下面が開口する矩形ボックス状の回路ケース１２の内部に各種電子部品が実装された不図示の回路基板を組み込み、回路ケース１２の下面開口部を矩形プレート状のカバー１３によって覆うことによって構成されている。ここで、回路ケース１２は熱伝導率の高いアルミダイキャスト等によって成形されており、その上面には放熱部を構成する多数の放熱ピン１４が一体に突設されている。
【００３２】
前記水冷ユニット５は、図８及び図９に示すように、熱交換器である水冷ジャケット１５と、該水冷ジャケット１５において受熱して温度が高くなった冷却水を外気（冷却風）との熱交換によって冷却するラジエータ１６と、該ラジエータ１６に冷却風を供給するファン１７と、冷却水を閉ループの循環経路内で循環させる循環ポンプ１８及び冷却水を貯留するリザーブタンク１９を備えており、ファン１７はラジエータ１６と対向してこれの上方に配置されている。
【００３３】
本実施の形態では、図８及び図９に示すように、ハウジング２内下部の底部に水冷ジャケット１５が水平に配置されており、この水冷ジャケット１５を挟んでこれの上下に制御回路４と光源ユニット３が配置されている。ここで、制御回路４は、そのカバー１３が水冷ジャケット１５の上面に密着する状態で該水冷ジャケット１５の上面側に配置されている。尚、本実施の形態では、冷却水として水にプロピレングリコールを混合して成る不凍液が使用されている。
【００３４】
他方、図８及び図９に示すように、ハウジング２内の水冷ジャケット１５から離間した上部には前記ラジエータ１６とファン１７が配置されており、水冷ジャケット１５とラジエータ１６との間の空間部には制御回路４と循環ポンプ１８及びリザーブタンク１９が配置されている。
【００３５】
而して、以上のように構成された水冷式ＬＥＤユニット１が起動されて光源ユニット３と制御回路４及び水冷ユニット５に電源が供給されると、光源ユニット３の発光波長の異なる４種のＬＥＤ８ａ〜８ｄが発光し、各色の光が合成されて疑似太陽光がレンズカバー１１及びフレネルレンズ２５を透過して図５の下方に向かって照射される。このとき、光源ユニット３の点灯制御は制御回路４によってなされ、駆動中において光源ユニット３のＬＥＤ８ａ〜８ｄ及び制御回路４の各種電子部品（不図示）が発熱し、そのままでは光源ユニット３と制御回路４が過熱されてこれらの温度が上昇する。光源ユニット３の各種ＬＥＤ８ａ〜８ｄの温度が上昇すると発光効率が低下することは前述の通りであり、供給電流も低下することは図１３に示す通りである。
【００３６】
然るに、本実施の形態では、水冷ユニット５が同時に駆動され、光源ユニット３と制御回路４は、閉ループを形成する循環経路を循環する冷却水によって強制冷却されてその温度上昇が抑えられる。
【００３７】
即ち、循環ポンプ１８によって循環経路を循環する冷却水は、水冷ジャケット１５において光源ユニット３及び制御回路４において発生する熱を受熱して光源ユニット３及び制御回路４を冷却し、受熱して温度の高くなった冷却水はラジエータ１６へと導入される。
【００３８】
他方、ファン１７が不図示のモータによって回転駆動されると、外気がハウジング２の周面に形成された吸気口６から冷却風としてハウジング２内に側方から吸引され、この冷却風は水冷ジャケット１５とラジエータ１６との間に形成された空間部を上方に向かって流れ、その過程でラジエータ１６を通過し、ハウジング２の上面に開口する排気口７から外部に排出される。そして、ラジエータ１６においては、ここを通過する冷却風によって冷却水の熱が外部に放熱されて該冷却水が冷却され、温度の下がった冷却液水は循環ポンプ１８に吸引される。
【００３９】
循環ポンプ１８に吸引された冷却水は、昇圧された後に循環ポンプ１８からリザーブタンク１９へと送り出され、その一部はリザーブタンク１９に貯留され、残りの冷却水はリザーブタンク１９から水冷ジャケット１５へと導入されて光源ユニット３と制御回路４の冷却に供される。そして、以上の作用（冷却サイクル）が連続的に繰り返されて光源ユニット３と制御回路４が水冷ジャケット１５を流れる冷却水によって強制冷却され、それらの温度上昇が一定値以下に抑えられる。又、本実施の形態では、制御回路４の下面を水冷ジャケット１５に密着させ、上面に放熱部を構成する多数の放熱ピン１４を突設したため、制御回路４が冷却水によって強制冷却されると同時に放熱ピン１４から自然放熱され、該制御回路４が効率良く冷却されてその温度上昇が一層効果的に抑えられる。特に、本実施の形態では、図４及び図５に示すように、複数の水冷式ＬＥＤユニット１の隣接するもの同士の位置を光照射方向にｄだけ互いにオフセットさせているため、ハウジング２に形成された吸気口６からハウジング２内への冷却風の流入が抵抗なくスムーズになされ、放熱ピン１４からの放熱が効果的になされる。
【００４０】
以上のように各ＬＥＤ８ａ〜８ｄの温度上昇が防がれ、その温度が一定に保たれる結果、各ＬＥＤ８ａ〜８ｄの出力変動及び照射光である疑似太陽光の色ムラの発生が抑えられる。
【００４１】
而して、試験用ＬＥＤ光源２３を備えた図１に示す太陽電池評価装置２０は、所定の試験環境（湿度１０％〜１００％、温度２０℃〜９０℃）において試験用ＬＥＤ光源２３から出射される疑似太陽光を透明部材２４（図３参照）を介して太陽電池２２に照射する加速試験を行うことによって該太陽電池２２の出力特性を評価するが、本実施の形態では、図５〜図９に示した水冷式ＬＥＤユニット１を複数設置して構成された試験用ＬＥＤ光源２３によって太陽電池２２に疑似太陽光を照射するようにしたため、前述のように各水冷式ＬＥＤユニット１の各種ＬＥＤ８ａ〜８ｄ（図１１参照）の温度が一定に保たれる。このため、試験用ＬＥＤ光源２３から出射される擬似太陽光の出力変動及び色ムラの発生が抑えられ、太陽電池２２の出力特性が高精度に評価される。
【００４２】
又、本実施の形態では、図３及び図４に示すように、複数の水冷式ＬＥＤユニット１の隣接するもの同士の位置を光照射方向に図示のｄだけ互いにオフセットさせているため、縦及び横方向に隣接する各水冷式ＬＥＤユニット１の端部から所定の角度で拡がりながら出射される光Ｌ１，Ｌ２同士の間に隙間（光が届かない箇所）が発生することがなく、全面均一な照射光が得られてその照度ムラや色ムラの発生が抑えられる。この結果、試験用ＬＥＤ光源２３によって疑似太陽光が照射される太陽電池２２の出力特性の評価が高精度に行われる。同時に、複数の水冷式ＬＥＤユニット１の隣接するもの同士の位置を光照射方向にオフセットさせているため、各々の水冷式ＬＥＤユニット１の吸気口６の位置も段違いとなる。このため、吸気口６への外気の取り入れがオフセットさせない場合に比べて容易になり、延いては試験用ＬＥＤ光源２３の出力変動及び色ムラの発生が抑えられ、太陽電池２２の出力特性が高精度に評価される。
【００４３】
更に、本実施の形態では、試験用ＬＥＤ光源２３の各水冷式ＬＥＤユニット１から出射される光は、図１２に示すように、フレネルレンズ２５によって平行光線化されるため、図１に示す太陽電池評価装置２０の試験室２１内に収容された太陽電池２２には太陽光線と同様の平行な擬似太陽光が照射されることとなり、この擬似太陽光を用いて太陽電池２２の出力特性の評価を高精度に行うことができる。
【００４４】
又、本実施の形態では、試験室２１内に収容された太陽電池２２と試験用ＬＥＤ光源２３との間に石英ガラス等の透明部材２４を配置したため（図３参照）、試験室２１内の湿気の試験用ＬＥＤ光源２３への侵入が透明部材２４によって遮断され、試験用ＬＥＤ光源２３が湿気によって悪影響を受けることがなく、該試験用ＬＥＤ光源２３の安定した動作が可能となる。この場合、試験用ＬＥＤ光源２３からの擬似太陽光は透明部材２４を透過して太陽電池２２に安定的に照射される。
【００４５】
尚、各水冷式ＬＥＤユニット１の各種ＬＥＤ８ａ〜８ｄの基板９上への配置は図１１に示したものに限定されず、任意に設定し得るものである。又、ＬＥＤの発光波長及び種類も上記したものに限定されず、任意に設定し得るものである。例えば、ＬＥＤ８ａ〜８ｄの各々の位置に、ＬＥＤ８ａ〜８ｄに対応する発光波長の異なるチップ状の４種類のＬＥＤ素子を集積化したＬＥＤマルチチップを用いれば、該ＬＥＤマルチチップから出射した光を各々のＬＥＤマルチチップに対応するフレネルレンズ２５により平行光線化することができる。ＬＥＤ８ａ〜８ｄとしてＧａＡｌＡｓ系、ＧａＮ系のＬＥＤを用いたが、ＧａＡｌＩｎＰ系等の他の結晶材料系統のものを使用しても良く、又、ＧａＮ系の結晶材料とＹＡＧ蛍光体等の波長変換材料との組み合わせから成るＬＥＤを用いても良い。ＬＥＤ８ａ〜８ｄを結晶材料系統、例えばＧａＮ系（ＧａＩｎＮ、ＧａＩんＡｌＮ）とし、これと組み合わせる波長変換材料を異なるものとすることによって、異なる発光波長のＬＥＤ８ａ〜８ｄを得ることもできる。利用する波長変換材料により異なる発光波長のＬＥＤとした場合には、ＬＥＤ素子自体は同一材料系であるためにジャンクション温度がほぼ同一となる。よって、ＬＥＤ８ａ〜８ｄの温度特性が同じになるため、温度による発光効率変動のバラツキをより一層低減することができる。
【符号の説明】
【００４６】
１          水冷式ＬＥＤユニット
２          ハウジング
３          光源ユニット
４          制御回路
５          水冷ユニット
６          吸気口
７          排気口
８ａ〜８ｄ  ＬＥＤ
９          基板
１０        ベース
１１        レンズカバー
１２        回路ケース
１３        カバー
１４        放熱ピン
１５        水冷ジャケット
１６        ラジエータ
１７        ファン
１８        循環ポンプ
１９        リザーブタンク
２０        太陽電池評価装置
２１        試験室
２２        太陽電池
２３        試験用ＬＥＤ光源
２４        透明部材
２５        フレネルレンズ
ｄ          水冷式ＬＥＤユニットのオフセット量
Ｌ１，Ｌ２  光
【図１】
2011009254.tif 000003
【図２】
2011009254.tif 000004
【図３】
2011009254.tif 000005
【図４】
2011009254.tif 000006
【図５】
2011009254.tif 000007
【図６】
2011009254.tif 000008
【図７】
2011009254.tif 000009
【図８】
2011009254.tif 000010
【図９】
2011009254.tif 000011
【図１０】
2011009254.tif 000012
【図１１】
2011009254.tif 000013
【図１２】
2011009254.tif 000014
【図１３】
2011009254.tif 000015